(57)【特許請求の範囲】
【請求項１】
錠箱内のラッチ枠に対して反転可能かつ進退可能に設けられ、フロント板から突出する方向に付勢させた反転型ラッチと、錠箱内においてフロント板に垂直な前後方向に延在し、後端を水平軸によって揺動可能に枢支されると共に、前端がラッチの係合受部に係合する方向に付勢された仮締りのためのロッキングピースと、錠箱内に回動可能に支承させると共に、常態位置に向け付勢させ、回転形式のハンドルの角軸を差し込むための軸孔を有し、更に、上記ロッキングピースのラッチに対する係合を解除させるための係合突部を有するラッチハブとを備えたラッチ錠において、上記ロッキングピースの後端部にラッチハブの係合突部に係合可能に臨む当接部を形成する一方、プッシュ・プル形式のハンドルに連係又は固定させた作用片をロッキングピースの側端縁に沿って前後方向に移動可能に配設し、この作用片の移動軌跡と干渉するロッキングピースの側端縁の部位に別の当接部を設け、以て、上記回転形式のハンドルを装着した場合も、この回転形式のハンドルではなく、プッシュ・プル形式のハンドルを装着した場合でも、夫々の形式の把手を操作することにより、夫々独立に、ロッキングピースのラッチに対する係合を円滑に解除できるようにしたことを特徴とするラッチ錠。
【発明の詳細な説明】
【０００１】
【発明の属する技術分野】
この発明は、扉に取り付けられるラッチ錠に関する。更に詳しくは、反転型のラッチを仮締りにおいて引込み操作させるためのハンドルがレバーハンドル又はノブ等の回転形式のものであっても、プッシュ・プル形式のものであっても適用できるようにしたラッチ錠の改良に関する。
【０００２】
【従来の技術】
従来のこの種のラッチ錠としては、例えば実公平７−４３３９８号公報に記載されたものを挙げることができる。そのラッチ錠は、受座の係合穴に対して係脱並びに反転可能でかつ向きの勝手が変更可能なラッチと、スライダーに連動して前記ラッチの第１係合受部に係入し当該ラッチの後退移動を阻止する第１ロッキングピースと、スライダーを作動させて前記第１ロッキングピースを前記第１係合受部から離脱させるソレノイドと、シリンダやサムターンの操作によって前記第１ロッキングピースを第１係合受部に係脱させるロックピース板と、ラッチの第２係合受部に付勢係入して当該ラッチの反転を阻止する第２ロッキングピースと、第２ロッキングピースを作動させるラッチハブを、それぞれ１個の錠ケースに内装し、かつ、押し又は引き操作でラッチハブを回動させて第２ロッキングピースを第２係合受け部から離脱させるプッシュ・プル式の把手とを備えて成るものである。
【０００３】
しかしながら、前記の従来のラッチ錠には、プッシュ・プル形式のハンドルで操作する場合に、押し引き操作に大きな力を要し、ハンドルが重くなるという欠点を要する。
【０００４】
その理由は、同公報に明示されている通り、プッシュ・プル形式のハンドルで第２ロッキングピースを作動させるについて、ハンドルと第２ロッキングピースとの間にラッチハブが介在させてあるためである。
【０００５】
この構成によれば、ハンドル及びラッチハブには格別に戻しばねが備えられているので、ハンドルを押し引きする際に第２ロッキングピースのロッキングばねに加えて２つの戻しばねに抗した力を付加しなければならない。
【０００６】
【発明が解決しようとする課題】
この発明のラッチ錠は、前記の問題点を解決し、プッシュ・プル形式のハンドルを使用した場合に、その操作を軽快にするために提案されたものである。
【０００７】
【課題を解決するための手段】
上記の目的を達成するため、この発明に係るラッチ錠は、錠箱内のラッチ枠に対して反転可能かつ進退可能に設けられ、フロント板から突出する方向に付勢させた反転型ラッチと、錠箱内においてフロント板に垂直な前後方向に延在し、後端を水平軸によって揺動可能に枢支されると共に、前端がラッチの係合受部に係合する方向に付勢された仮締りためのロッキングピースと、錠箱内に回動可能に支承させると共に、常態位置に向け付勢させ、回転形式のハンドルの角軸を差し込むための軸孔を有し、更に、上記ロッキングピースのラッチに対する係合を解除させるための係合突部を有するラッチハブとを備えたラッチ錠において、上記ロッキングピースの後端部にラッチハブの係合突部に係合可能に臨む当接部を形成する一方、プッシュ・プル形式のハンドルに連係又は固定させた作用片をロッキングピースの側端縁に沿って前後方向に移動可能に配設し、この作用片の移動軌跡と干渉するロッキングピースの側端縁の部位に別の当接部を設け、以て、上記回転形式のハンドルを装着した場合も、この回転形式のハンドルではなく、プッシュ・プル形式のハンドルを装着した場合でも、夫々の形式の把手を操作することにより、夫々独立に、ロッキングピースのラッチに対する係合を円滑に解除できるようにしたことを特徴とする。
【０００８】
【発明の実施の形態】
以下、図面に示す実施例に基いてこの発明について説明する。
図１及び図２において、１は扉１０にねじ等で取り付けられた錠箱、２は扉枠２０にねじ等で取り付けられたストライク板をそれぞれ示している。
【０００９】
錠箱１内の前方の中央部には縦断面がコ字状をなすラッチ枠３１が固設してあり、そのラッチ枠３１には平面形がほぼ菱形をなす反転型のラッチ３が装着されている。
【００１０】
反転型のラッチ３は周知のようにラッチ枠３１に対して反転可能かつ進退可能に設けられており、図示例のラッチ３は前後２つの部片をピン等で固定して形成してある。
【００１１】
また、ラッチ３の後部には平面が門形をなすラッチ受け３２が嵌め込まれており、ラッチ受け３２はラッチ枠３１及び錠箱１等の案内により前後方向に移動可能に案内されている。
【００１２】
そして、ラッチ３はラッチ受け３２の前方片とラッチ枠３１の内底との間に設けた圧縮コイルばね等のラッチばね３３により錠箱１のフロント板１１から突出する方向に付勢させてある。符号３Ｃは、ラッチ３の抜け出しを阻止するために、該ラッチ３の上下部に一体に設けたストッパである。
【００１３】
なお、ラッチ３とラッチ受け３２との間はラッチばね３３で押し付けられて組み付けられた状態にあるが、相対的な回動、すなわち、ラッチ受け３２に対するラッチ３の反転は許容されている。
【００１４】
錠箱１内のラッチ枠３１の上方近傍には、例えば１枚の板材を折り曲げて形成した、本締りのための第１ロッキングピース４が揺動可能に枢支され、その前端がラッチ枠３１の上部開口を通じてラッチ３の第１係合受け部３ａに選択的に係合できるようにしてある。
【００１５】
第１ロッキングピース４の後端には、錠箱１に支承され、シリンダ錠又はサムターン(いずれも図示しない)の操作により回転されるカム部材５が連係させてある。符号５１はカム部材５に当接させたねじりばね等のクリックばねである。
【００１６】
本締りの施錠状態（図１参照）においては、ストライク板２の係入孔に突出状態で係入されたラッチ３は、その第１係合受部３ａに第１ロッキングピース４に前端が係合させることにより、突出位置に拘束される。
【００１７】
本締り状態にあるラッチ３を解錠させるには、シリンダ錠に差し込んだ鍵又はサムターンによりカム部材５を図１で左回りに回動させ、その突部５２でロッキングピース４を右回りに揺動させる(図２参照)。
【００１８】
ここに、第１ロッキングピース４の前端とラッチ３の第１係合受部３ａとの係合が解除され、ラッチ３の突出位置における本締りとしての拘束は解かれることになる。
【００１９】
一方、錠箱１内のラッチ枠３１の下方の近傍には、例えば１枚の板材を折り曲げて形成した、仮締りのための第２ロッキングピース６が後端において揺動可能に枢支され、その前端がラッチ枠３１の下部開口を通じてラッチ３の第２係合受部３ｂに選択的に係合できるようにしてある。
【００２０】
前記の第２ロッキングピース６と錠箱１との間には、ねじりばね等のロッキングばね６１が設けてあって、後記のハンドルに手を触れていない常態において、第２ロッキングピース６の前端がラッチ３の第２係合受部３ｂに係合されるようにしてある。
【００２１】
そしてまた、錠箱１内の前記第２ロッキングピース６の近傍には、レバーハンドル又はノブのような軸線の回りで回動操作される回転形式のハンドル（図示しない）の角軸を差し込むための軸孔を有するラッチハブ７が回転可能に支承され、それに付設された戻しばね手段８により常態位置に向け付勢させてある。
【００２２】
ラッチハブ７の外周部分には、係合突部７１、ばね受け７２及び突片７３がそれぞれ一体に形成してある。係合突部７１は回転形式のハンドルによりラッチハブ７が回動された時仮締りのための第２ロッキングピース６の後部に設けた一方の当接部６２に衝接し、常態でラッチ３に係合している第２ロッキングピース６を揺動させてその係合を解除させる。
【００２３】
また、ばね受け７２は、戻しばね手段８における可動の案内棒８２の先端を受け止めることができるように形成してある。
【００２４】
図示の戻しばね手段８は、錠箱１に固設した取付基板８１の受け片とその受け片に可動に差し込まれた案内棒８２のフランジ部との間に、前記案内棒８２の回りに挿通させた圧縮コイルばね８３をその長さ方向について挟持させて成る。
【００２５】
上記ラッチハブ７の回動の範囲は、該ラッチハブ７のばね受け７２と突片７３との間に位置させるようにして錠箱１に固設した支柱を兼ねるストッパ７４によって規制される。ストッパ７４の周囲には合成樹脂製の消音筒を嵌め込むを可とする。
【００２６】
更に、前記の第２ロッキングピース６には、ラッチハブ７の係合突部７１が衝接する一方の当接部６２とは異なる位置に合成樹脂製のローラ等で成る別の当接部６３が設けてある。図示例の第２ロッキングピース６における別の当接部６３は一方の当接部６２のやや前方の位置に設けてある。
【００２７】
この別の当接部６３には、扉１０に対し揺動可能に装着されたプッシュ・プル形式のハンドル（図示しない）に連係又は固定された作用片９がラッチハブ７に干渉することなく対向できるようにしてある。
【００２８】
この作用片９は錠箱１の側板に設けた開口（図示しない）を通じて錠箱１内に延出させることは言うまでもない。
【００２９】
上述したラッチ錠では、仮締りの錠止状態（図１参照）において、ストライク板２の係入孔に突出状態で係入されたラッチ３は、その第２係合受部３ｂに第２ロッキングピース６の前端が係合されることにより、反転が阻止されており、それをもって扉１０を閉鎖位置に保持させる。
【００３０】
そして、このラッチ錠においては、回転形式のハンドルが装着使用されている場合と、プッシュ・プル形式のハンドルが装着使用されている場合とがある。
【００３１】
回転形式のハンドルが使用されている場合において、仮締り状態にあるラッチ３を解錠されるためには、そのハンドルでラッチハブ７を戻しばね手段８に抗して図１で右回りに回動させる。
【００３２】
そして、ラッチハブ７の係合突部７１を  第２ロッキングピース６の一方の当接部６２に衝接させることにより、該第２ロッキングピース６をロッキングばね６１に抗して図１で左回りに揺動させ、ラッチ３との係合を解除させる（図２参照）。この操作に先立って事前に本締りを解錠させておくことは言うまでもない。
【００３３】
次いで、ハンドルを持ったまま、扉１０を押し又は引けば、突出しているラッチ３はストライク２の係入孔の縁部又は表面で案内されつつ図３の（Ａ）〜（Ｄ）に示すように一旦反転しつつ引き込み、扉１０が開放された後は、ラッチばね３の弾力により、当初の位置〔図３（Ａ）の位置〕に戻る。
【００３４】
次にプッシュ・プル形式のハンドルが使用されている場合において、仮締り状態にあるラッチ３を解錠させるには、そのハンドルの操作により作用片９を図１の位置から図２の位置に揺動変位させる。
【００３５】
そして、作用片９を第２ロッキングピース６の別の当接部６３に衝接させることにより、該第２ロッキングピース６をロッキングばね６１に抗して図１で左回りに揺動させ、ラッチ３との係合を解除させる（図２参照）。この操作に先立って事前に本締りを解錠させておくことは勿論である。
【００３６】
その後の扉１０の開放の作動態様については、上記した回転形式のハンドルの場合に準ずる。
【００３７】
なお、この発明に係るラッチ錠は機能を仮締りのみとした空錠として用いることもできる。その場合、図１及び図２において本締りに係る諸機構、すなわち、第１ロッキングピース４やカム部材５等は備えることは要しない。
【００３８】
【発明の効果】
以上に説明したこの発明のラッチ錠によれば、プッシュ・プル形式のハンドルで仮締りに係る解錠の操作をする場合、ハンドルとロッキングピースとの間には戻しばねを付設させたラッチハブを介在させていないので、その操作が軽く楽になるという効果を奏する。
【図面の簡単な説明】
【図１】この発明のラッチ錠の実施例を蓋板を取り外して施錠状態で示した部分縦断側面図。
【図２】その実施例を同様に解錠状態で示した部分縦断側面図。
【図３】（Ａ）〜（Ｄ）は図１のラッチ錠におけるラッチが扉の開放過程でラッチ枠に対し反転しかつ引き込まれて行く態様を順次説明的に示した部分縦断平面図である。
【符号の説明】
１  錠箱
１１  フロント板
３  ラッチ
３ｂ  係合受部（第２係合受部）
６  ロッキングピース（第２ロッキングピース）
６２  当接部
６３  別の当接部
７  ラッチハブ
７１  係合突部
９  作用片
【図１】
0004167741.tif 000002
【図２】
0004167741.tif 000003
【図３】
0004167741.tif 000004